(57)【要約】【課題】記録装置に予約した番組と異なる番組が設定された記録媒体が装填されている場合及び記録媒体が装填されていない場合でも、予約した番組及びビットレートを設定した光ディスクに、予約した番組を所望の画質で確実に記録することができる記録装置及び記録方法を提供する。【解決手段】光ディスクドライブユニット24に光ディスクが装填されていない場合又は光ディスクドライブユニット24に装填された光ディスクに設定してあるビットレートとＥＥＰＲＯＭ９に設定された予約した番組に係るビットレートとが一致しない場合に、予約した番組のコンテンツデータをＥＥＰＲＯＭ９に設定されたビットレートで記憶部22に記憶する構成とした。【選択図】図２
2010238324.tif 000002
【特許請求の範囲】
【請求項１】
着脱可能な記録媒体にコンテンツデータを記録する記録装置において、
コンテンツデータを記憶することができる複数の記憶領域を有する記憶部と、
記録媒体に固有の媒体情報と該媒体情報に対応するビットレートとを前記複数の記憶領域の内の一の記憶領域に関連付けて記憶する手段と、
媒体情報と該媒体情報に対応するビットレートとを設定して、コンテンツデータの記録を指定する指定手段と
を備えることを特徴とする記録装置。
【請求項２】
前記指定手段にて記録を指定されたコンテンツデータが入力され、前記指定手段にて設定された媒体情報と装着された記録媒体の媒体情報とが一致する場合に、入力されたコンテンツデータを一致する媒体情報に対応したビットレートで前記記録媒体に記録する手段と、
前記指定手段にて記録を指定されたコンテンツデータが入力され、前記指定手段にて設定された媒体情報と装着された記録媒体の媒体情報とが一致しないか又は記録媒体が装着されていない場合には、入力されたコンテンツデータを、前記指定手段にて設定された媒体情報及びビットレートを関連づけてある記憶領域に、前記指定手段にて設定されたビットレートで記憶する手段と
を備えることを特徴とする請求項１に記載の記録装置。
【請求項３】
前記記憶領域の記憶容量は、記憶領域に関連付けてあるビットレートに応じて設定してあることを特徴とする請求項１又は２に記載の記録装置。
【請求項４】
前記番組のコンテンツデータは放送によって入力されており、
前記指定手段は、放送される番組のコンテンツデータの記録を予約するようにしてあること
を特徴とする請求項１から３のいずれか一つに記載の記録装置。
【請求項５】
前記指定情報を関連付けられた記録媒体が装着された場合に、該記録媒体に固有の媒体情報を関連付けてある記憶領域に記憶されているコンテンツデータの内で前記記録媒体に記録されていないコンテンツデータを前記記録媒体に記録する手段を備えることを特徴とする請求項１から４のいずれか一つに記載の記録装置。
【請求項６】
着脱可能な記録媒体にコンテンツデータを記録する記録方法において、
コンテンツデータを記憶することができる複数の記憶領域を有する記憶部の一の記憶領域に、記録媒体に固有の媒体情報と該媒体情報に対応するビットレートとを関連付けて記憶するステップと、
媒体情報と該媒体情報に対応するビットレートとを設定して、入力される番組のコンテンツデータの記録を指定するステップと
を備えることを特徴とする記録方法。
【発明の詳細な説明】
【技術分野】
【０００１】
本発明は記録媒体の装填及び排出を行い、装填された記録媒体に対して音声情報及び映像情報を含むコンテンツデータの書込み又は読込みを行う記録装置及び記録方法に関する。
【背景技術】
【０００２】
近年、記録媒体例えば光ディスクの装填及び排出を行い、音声情報及び映像情報を含むコンテンツデータを乗せた放送波を受信して光ディスクにコンテンツデータを記録する記録装置が広く普及している。該記録装置は一般に予約機能を備えており、ユーザは記録装置にチャンネル、開始・終了時刻及び番組名等の予約情報を設定する（例えば特許文献１参照）。
【０００３】
ユーザによっては番組とビットレートとを対応させて、ビットレート毎に複数の光ディスクを使い分けることがある。例えばスポーツ番組のビットレートを低ビットレートに対応させ、映画番組のビットレートを高ビットレートに対応させて、それぞれ異なる光ディスクに記録する。この場合ユーザは番組に応じた光ディスクを記録媒体に装填し、装填した光ディスクに対応したビットレートで番組を予約する。
【先行技術文献】
【特許文献】
【０００４】
【特許文献１】特開２０００−２１５５４７号公報
【発明の概要】
【発明が解決しようとする課題】
【０００５】
しかし予約した番組の開始時間に、番組に対応していない光ディスクが記録装置に装填してある場合には、装填された光ディスクに番組が録画されるので、番組毎に使用する光ディスクを使い分けるというユーザの要求は満たされない。また低ビットレートで録画する光ディスクに高ビットレートで番組が録画された場合には、光ディスクに充分な記憶容量が残存していなければ、番組を全て録画することができない。また光ディスクが記録装置に装填されていない場合には番組を録画することはできない。
【０００６】
本発明は斯かる事情に鑑みてなされたものであり、番組のビットレートに対応しない記録媒体が装填されている場合及び記録媒体が装填されていない場合でも、予約した番組に対応する光ディスクに、予約した番組を所望のビットレートで確実に記録することができる記録装置及び記録方法を提供することを目的とする。
【課題を解決するための手段】
【０００７】
本発明に係る記録装置は、着脱可能な記録媒体にコンテンツデータを記録する記録装置において、コンテンツデータを記憶することができる複数の記憶領域を有する記憶部と、記録媒体に固有の媒体情報と該媒体情報に対応するビットレートとを前記複数の記憶領域の内の一の記憶領域に関連付けて記憶する手段と、媒体情報と該媒体情報に対応するビットレートとを設定して、コンテンツデータの記録を指定する指定手段とを備えることを特徴とする。
【０００８】
本発明においては、ユーザは所定の内容に係る番組のコンテンツデータを所定の記録媒体に記録することを望む場合があるので、一の記憶領域に関連付けて記録媒体の媒体情報を記憶して、記録媒体を登録し、記録媒体間の登録／未登録の識別を行うことができるようにする。また登録された記録媒体に関連付けて、入力される番組のコンテンツデータの記録をビットレートと共に指定し、記録を指定されたコンテンツデータが入力された場合に、該コンテンツデータを登録された記録媒体に、指定したビットレートで記録する構成とすることで、所定の内容に係る番組のコンテンツデータを所定の記録媒体に所望のビットレートで記録することができる。
【０００９】
本発明に係る記録装置は、前記指定手段にて記録を指定されたコンテンツデータが入力され、前記指定手段にて設定された媒体情報と装着された記録媒体の媒体情報とが一致する場合に、入力されたコンテンツデータを一致する媒体情報に対応したビットレートで前記記録媒体に記録する手段と、前記指定手段にて記録を指定されたコンテンツデータが入力され、前記指定手段にて設定された媒体情報と装着された記録媒体の媒体情報とが一致しないか又は記録媒体が装着されていない場合には、入力されたコンテンツデータを、前記指定手段にて設定された媒体情報及びビットレートを関連づけてある記憶領域に、前記指定手段にて設定されたビットレートで記憶する手段とを備えることを特徴とする。
【００１０】
本発明においては、媒体情報に対応付けてコンテンツデータのビットレートを記憶することで、登録された記録媒体が装着されていない場合に、登録された記録媒体の媒体情報を取得し、取得した媒体情報に対応付けてあるビットレートで、取得した媒体情報に関連付けてある記憶領域に前記コンテンツデータを記録することができ、コンテンツデータを所望のビットレートで蓄積することができる。
【００１１】
本発明に係る記録装置は、前記記憶領域の記憶容量は、記憶領域に関連付けてあるビットレートに応じて設定してあることを特徴とする。
【００１２】
本発明においては、例えば記憶領域に関連付けてあるビットレートが大きくなるに従って、記憶領域の記憶容量を大きくし、各記憶領域に記憶することができるコンテンツデータの記憶時間を均等にすることができる。また使用する頻度に応じて各記憶領域の記憶時間を調整することができる。
【００１３】
本発明に係る記録装置は、前記番組のコンテンツデータは放送によって入力されており、前記指定手段は、放送される番組のコンテンツデータの記録を予約するようにしてあることを特徴とする。
【００１４】
本発明においては、放送される番組のコンテンツデータの記録を予約し、予約された番組が開始された場合に、番組を記録媒体に記録するか又は記憶領域に記憶し、予約された番組のコンテンツデータを確実に蓄積することができる。
【００１５】
本発明に係る記録装置は、前記指定情報を関連付けられた記録媒体が装着された場合に、該記録媒体に固有の媒体情報を関連付けてある記憶領域に記憶されているコンテンツデータの内で前記記録媒体に記録されていないコンテンツデータを前記記録媒体に記録する手段を備えることを特徴とする。
【００１６】
本発明においては、記憶領域にコンテンツデータが記憶してあり、且つ記録媒体が装着された場合に、前記記憶領域に関連づけてある媒体情報と装着された記録媒体の媒体情報とが一致するか否か判定し、一致する場合に、記憶領域に記憶してあるコンテンツデータを記録媒体に書込む。媒体情報にはビットレートが対応付けてあるため、所定の記録媒体への録画が所望のビットレートで確実に実行される。
【００１７】
本発明に係る記録方法は、着脱可能な記録媒体にコンテンツデータを記録する記録方法において、コンテンツデータを記憶することができる複数の記憶領域を有する記憶部の一の記憶領域に、記録媒体に固有の媒体情報と該媒体情報に対応するビットレートとを関連付けて記憶するステップと、媒体情報と該媒体情報に対応するビットレートとを設定して、入力される番組のコンテンツデータの記録を指定するステップとを備えることを特徴とする。
【００１８】
本発明においては、ユーザは所定の内容に係る番組のコンテンツデータを所定の記録媒体に記録することを望む場合があるので、一の記憶領域に関連付けて記録媒体の媒体情報を記憶して、記録媒体を登録し、記録媒体間の登録／未登録の識別を行うことができるようにする。また登録された記録媒体に関連付けて、入力される番組のコンテンツデータの記録をビットレートと共に指定し、記録を指定されたコンテンツデータが入力された場合に、該コンテンツデータを登録された記録媒体に、指定したビットレートで記録する構成とすることで、所定の内容に係る番組のコンテンツデータを所定の記録媒体に所望のビットレートで記録することができる。
【発明の効果】
【００１９】
本発明に係る記録装置にあっては、ユーザは所定の内容に係る番組のコンテンツデータを所定の記録媒体に記録することを望む場合があるので、一の記憶領域に関連付けて記録媒体の媒体情報を記憶して、記録媒体を登録し、記録媒体間の登録／未登録の識別を行うことができるようにする。また登録された記録媒体に関連付けて、入力される番組のコンテンツデータの記録を指定し、記録を指定されたコンテンツデータが入力された場合に、該コンテンツデータを登録された記録媒体に記録する構成とすることで、所定の内容に係る番組のコンテンツデータを所定の記録媒体に記録することができる。また一の記憶領域に関連付けてある媒体情報に対応付けてコンテンツデータのビットレートを記憶することで、登録された記録媒体が装着されていない場合に、登録された記録媒体の媒体情報を取得し、取得した媒体情報に対応付けてあるビットレートで、取得した媒体情報に関連付けてある記憶領域に前記コンテンツデータを記録することができ、コンテンツデータを所望のビットレートで蓄積することができる。
【図面の簡単な説明】
【００２０】
【図１】実施の形態に係る記録装置と、リモートコントローラ及び表示装置との関係を説明する説明図である。
【図２】実施の形態に係る記録装置の構成を示すブロック図である。
【図３】記憶部の内部構成を示す模式図である。
【図４】光ディスクドライブユニットに光ディスクが装着されてから録画装置が行う処理の手順を示すフローチャートである。
【図５】録画装置が行う録画予約の処理の手順を示すフローチャートである。
【図６】光ディスクに書込まれた予約情報を示す模式図である。
【図７】ＥＥＰＲＯＭに記憶した予約情報の内容例を示す概念図である。
【図８】バックエンド装置のＣＰＵによるコンテンツデータの書込み処理を示すフローチャートである。
【図９】コンテンツデータを記録した光ディスク又はコンテンツデータを記憶した記憶部の状態を示す概念図である。
【図１０】コンテンツデータを記録した光ディスク又はコンテンツデータを記憶した記憶部の状態を示す概念図である。
【図１１】バックエンド装置のＣＰＵによるコンテンツデータの移動処理を示すフローチャートである。
【図１２】光ディスクの記録内容を記憶部の記憶内容に同期させた結果を示す概念図である。
【発明を実施するための形態】
【００２１】
以下本発明を実施の形態に係る記録装置を示す図面に基づいて詳述する。図１は記録装置と、リモートコントローラ及び表示装置との関係を説明する説明図である。
図において１はＢＤ（Blu-ray Disc）、ＤＶＤ（Digital Versatile Disc）等の光ディスクにコンテンツデータを記録する記録装置である。該記録装置１は光ディスクの装填及び排出を行い、光ディスクに対してコンテンツデータの読込み又は書込みを行う光ディスクドライブユニット24を備えている。記録装置１は表示装置200 に接続することができ、光ディスクドライブユニット24にて読込んだ光ディスクのコンテンツデータを表示装置200 に表示するように構成されている。また記録装置１はリモートコントローラ100 からの信号を受信して、番組の予約等の設定を行う。記録装置１の光ディスクドライブユニット24は後述するバックエンド装置２によって制御される。
【００２２】
図２は記録装置の構成を示すブロック図である。図２に示すように、記録装置１はバックエンド装置２と、ドライブ装置20とを備えている。
バックエンド装置２は、コンテンツデータを乗せたデジタル放送波を受信するデジタルチューナ３と、アナログ信号を符号化するエンコーダ４とを備えている。デジタルチューナ３は、入力されたデジタル放送の放送信号を、選局されたチャンネル即ち特定の周波数帯の放送信号をＭＰＥＧ（Moving Picture Experts Group）−２ＴＳ（Transport Stream）等のデジタルのストリームデータに変換する。エンコーダ４は、入力された映像信号及び音声信号を、ＭＰＥＧ−２ＰＳ（Program Stream）又はＭＰＥＧ−２ＴＳ等のデジタルのストリームデータにエンコードする処理を行う。
【００２３】
バックエンド装置２は、コンテンツデータのビットレートを変更するビットレート変更部５を更に備えている。前記デジタルチューナ３にて受信されたコンテンツデータと、前記エンコーダ４にて符号化されたコンテンツデータとは前記ビットレート変更部５に入力される。ビットレート変更部５に入力されたコンテンツデータのビットレートは必要に応じて変更される。
【００２４】
前記ビットレート変更部５はバス６に接続してあり、該バス６にはＣＰＵ（Central Processing Unit）７と、ＲＡＭ（Randam Access Memory）８と、ＥＥＰＲＯＭ９（Electrically Erasable and Programmable Read Only Memory）と、デコーダ10と、タイマ11と、Ｉ／Ｆ（Inter Face）12とが更に接続してある。ＣＰＵ７はＥＥＰＲＯＭ９に記憶された制御プログラムをＲＡＭ８に読み込み、該制御プログラムに従ってコンテンツデータの記録及び再生を制御する。なおＥＥＰＲＯＭ９には、予約情報としてコンテンツデータを配信するチャンネルを示すデータ、コンテンツデータの記録を開始する時刻を示すデータ、コンテンツデータの記録を終了する時刻を示すデータ及びコンテンツデータに係る番組名を示すデータが書込まれる。
【００２５】
前記デコーダ10はバス６を介して入力されたコンテンツデータをデコードする。バックエンド装置２は画像処理部13を備えており、前記デコーダ10にてデコードされたコンテンツデータは画像処理部13に入力される。該画像処理部13は、入力されたコンテンツデータに輝度補正、ガンマ補正等を行い、表示装置200 へコンテンツデータを出力する。前記タイマ11は、ＣＰＵ７の要求に応じて現在時刻を示す情報をＣＰＵ７へ送信する。
【００２６】
前記バックエンド装置２のＩ／Ｆ12は前記ドライブ装置20との間でデータの入出力を行う。ドライブ装置20はバス21により相互に接続された記憶部22、光ディスクドライブユニット24及びＩ／Ｆ25、光ディスクドライブユニット24及び記憶部22の動作を制御するドライブ制御部26とを備える。記憶部22はＮＡＮＤ型フラッシュメモリからなる。
【００２７】
前記光ディスクドライブユニット24はピックアップ部24ａを備えており、該ピックアック部から照射されるレーザ光によって、光ディスクドライブユニット24に装填された光ディスクに対してコンテンツデータの書込み又は読出しを行う。なお前記ピックアップ部24ａは照射したレーザ光を受光して、光ディスクの有無を検出することができる。ドライブ装置20のＩ／Ｆ25はバックエンド装置２のＩ／Ｆ12に接続してあり、ドライブ装置20とバックエンド装置２との間でデータの送受信が行われる。
【００２８】
図３は、記憶部22の内部構成を示す模式図である。記憶部22は、記憶部22の記憶内容を管理するための情報を記憶する管理領域、並びにコンテンツデータを記憶するための第１領域、第２領域、…、第ｎ領域及び予備領域の複数の記憶領域を含んで構成されている。ここで、ｎは正の整数である。ｎは予め適当な値に定められており、録画装置１の出荷時点では、記憶部22の記憶領域が管理領域、第１〜第ｎ領域及び予備領域の複数の記憶領域に予め分割されている。
【００２９】
記憶部22の記憶領域の内、第１〜第ｎ領域は、個別に特定の光ディスクを対応付けておき、対応づけた光ディスクに応じたデータを記憶するための記憶領域である。例えば、第１領域には特定の光ディスク61が対応付けられ、第２領域には特定の光ディスク62が対応付けられる。録画装置１の出荷時点では、いずれの領域にも光ディスクは対応付けられていない。録画装置１を使用するには、使用者所有の光ディスクを何れかの記憶領域に対応付けて登録する処理を行う必要がある。また予備領域は、その他のデータを記憶するための記憶領域である。
【００３０】
記憶部22の管理領域は、図３に示すように、管理領域を管理するための情報を記憶する管理領域管理部と、第１領域、第２領域、…、第ｎ領域及び予備領域の夫々を管理するための情報を記憶する第１領域管理部、第２領域管理部、…、第ｎ領域管理部及び予備領域管理部とを含んで構成されている。管理領域は、記憶部22の記憶領域を分割した数を示すエントリ数と、管理領域中で第１〜第ｎ領域管理部及び予備領域管理部の夫々に割り当てられたエリアのアドレスを示す割り当てエリア情報とが記憶されている。
【００３１】
第１領域管理部には、第１記憶領域の番号を示すエントリ番号、第１領域に実際に光ディスクが対応付けられているか否かを示す割り当てフラグ、及び対応付けられた光ディスクを識別するためのメディアＩＤが記憶される。また第１領域管理部には、記憶部22の記憶領域中で第１領域に割り当てられたエリアのアドレスを示す割り当てエリア情報、光ディスクのコピーガードに利用するための情報であるメディアキー情報、光ディスクに記録するコンテンツデータのビットレート及び第１領域に係るデータの分布状態を示すマップ情報が記憶される。メディアＩＤ及びメディアキー情報は、光ディスクに予め記録されている情報であり、個々の光ディスクについて固有の情報である。録画装置１の出荷時点では、第１領域にはまだ光ディスク61が対応付けられていないので、割り当てフラグは光ディスクが対応付けられていないことを示しており、特定の光ディスク61に固有のメディアＩＤ及びメディアキー情報はまだ記憶されていない。マップ情報は、第１領域で記憶するデータ、及び第１領域に対応付けられた光ディスク61で記録するデータが、第１領域及び光ディスク61のどのアドレスに分布しているのかを示している。第２〜第ｎ領域管理部の夫々にも、同様の情報が記憶される。
【００３２】
なお、録画装置１は、記憶部22の記憶領域が予め分割されているのではなく、使用者がｎの値を指定することによりｎを決定し、ｎの値に応じて記憶部22の記憶領域を分割する処理を行う形態であってもよい。またビットレートに基づく複数の分割パターンから使用者が一の分割パターンを選択し、選択された分割パターンに応じて記憶部22の記憶領域を分割する処理を行う形態であってもよい。ここでビットレートに基づく分割パターンとは、ビットレートを示す複数の数値から構成される数値群をいい、複数の分割パターンは、例えばパターン１（１５、１０、５）、パターン２（１０、１０、１０）、パターン３（５、５、５、５、５、５）及びパターン４（１５、１５）のように表すことができる。各パターンの括弧内の数値はビットレートを示す。このような分割パターンから一の分割パターンを選択するための画面を表示装置200 に表示させて、例えばパターン１（１５、１０、５）を使用者が選択した場合には、録画装置１は、記憶部22の記憶領域はビットレート１５、ビットレート１０、及びビットレート５にそれぞれ対応する三つの領域に分割する処理を行う。
【００３３】
第１領域管理部〜第ｎ領域管理部に記憶されるビットレートは互いに異なり、例えば第２領域管理部に記憶されるビットレートは第１領域管理部に記憶されるビットレートの１／２、第３領域管理部に記憶されるビットレートは第１領域管理部に記憶されるビットレートの１／３、第４領域管理部に記憶されるビットレートは第１領域管理部に記憶されるビットレートの１／５となる。第１領域〜第ｎ領域の記憶容量は、記憶されるビットレートに応じて設定されており、ビットレートが大きい領域ほど前記記憶容量は大きい。なお記憶されるビットレートに拘わらず、第１領域〜第ｎ領域の記憶容量を同じにしても良い。
【００３４】
次に録画装置１が実行する処理を説明する。図４は、光ディスクドライブユニット24に光ディスクが装着されてから録画装置１が行う処理の手順を示すフローチャートである。使用者の操作により光ディスクドライブユニット24に光ディスクが装着された場合は、ドライブ制御部26は、光ディスク中の所定の位置に記録された情報を光ディスクドライブユニット24に読み出させることにより、光ディスクのメディアＩＤを読み出し、インタフェース部14からバックエンド部20へ入力する。ＣＰＵ７は、読み出したメディアＩＤが記憶部22の第１〜第ｎ領域管理部のいずれかに記憶されているかを判定することにより、装着された光ディスクが既に登録済みの光ディスクであるか否かを判定する（ステップＳ２０１）。メディアＩＤが記憶部22に記憶されておらず、光ディスクが未登録であった場合は（ステップＳ２０１：ＮＯ）、ＣＰＵ７は、光ディスクドライブユニット24で光ディスクから読み出したデータに基づき、光ディスクがフォーマット済みの光ディスクであるか否かを判定する（ステップＳ２０２）。ステップＳ２０２では、例えば、ｖｏｌｕｍｅ  ｄｅｓｃｒｉｐｔｏｒに基づいて判定を行う。光ディスクがフォーマット済みの光ディスクであった場合は（ステップＳ２０２：ＹＥＳ）、ＣＰＵ７は、光ディスクドライブユニット24で光ディスクから読み出したデータに基づき、光ディスクが再生専用の光ディスクであるか否かを判定する（ステップＳ２０３）。
【００３５】
光ディスクが再生専用ではなかった場合は（ステップＳ２０３：ＮＯ）、ＣＰＵ７は、光ディスクのフォーマット指示を受け付けたか否かを判定する（ステップＳ２０４）。例えば、ＣＰＵ７は、光ディスクのフォーマット指示を受け付けるための受付画面用の映像信号をデコーダ10及び画像処理部13を介して表示装置200 へ送信することにより、表示装置200 に、フォーマット指示を受け付けるための受付画面を表示させる。受付画面を確認した使用者は、フォーマットを行う際には、リモートコントローラ100 を操作することによって、フォーマットの指示を入力する。使用者からの所定の操作を受け付けたリモートコントローラ100 が送信した所定の信号を記録装置１が受信することによって、光ディスクのフォーマット指示を受け付けた場合（ステップＳ２０４：ＹＥＳ）、又はステップＳ２０２で光ディスクがフォーマット済みではなかった場合は（ステップＳ２０２：ＮＯ）、ＣＰＵ７は、ドライブ制御部26及び光ディスクドライブユニット24に、光ディスクをフォーマットさせる（ステップＳ２０５）。光ディスクのフォーマット指示の受け付けがない場合は（ステップＳ２０４：ＮＯ）、ＣＰＵ７は、光ディスクの登録指示を受け付けたか否かを判定する（ステップＳ２０６）。例えば、ＣＰＵ７は、登録指示を受け付けるための受付画面を表示装置200 に表示させ、光ディスクの登録を行うか否かの指示を受け付ける。なお、初期化の指示を受け付けるための受付画面と、登録指示を受け付けるための受付画面とを一つに合わせた受付画面を表示装置200 に表示させる処理を行ってもよい。
【００３６】
ステップＳ２０５が終了した場合、又はステップＳ２０６で光ディスクの登録指示を受け付けた場合は（ステップＳ２０６：ＹＥＳ）、ＣＰＵ７は、記憶部22の管理領域に記憶された情報に基づき、記憶部22の第１〜第ｎ領域の内で光ディスクが対応付けられていない記憶領域があるか否かを判定する（ステップＳ２０７）。光ディスクが対応付けられていない記憶領域がない場合（ステップＳ２０７：ＮＯ）、ＣＰＵ７は、各記憶領域に対応付けて登録してある光ディスクの内で何れかの光ディスクの登録を解消することの指示を受け付けたか否かを判定する（ステップＳ２０８）。例えば、ＣＰＵ７は、光ディスクの新規登録ができないことを報知した上で既に登録されている光ディスクの登録解消の指示を受け付けるための受付画面を表示装置200 に表示させ、登録解消をするか否かの指示を受け付ける。なお、どの光ディスクの登録を解消するかの指示をも受け付ける処理を行ってもよい。登録解消の指示を受け付けた場合は（ステップＳ２０８：ＹＥＳ）、ＣＰＵ７は、ドライブ制御部26に、記憶部22の管理領域に記憶されているメディアＩＤを消去させることにより、一の光ディスクの登録を解消する処理を行う（ステップＳ２０９）。例えば、記憶部22の第１領域に対応付けられている光ディスク61の登録を解消する場合は、記憶部22の第１領域管理部に記憶されているメディアＩＤ及びメディアキー情報を消去することにより、登録を解消する処理を行う。またこのとき、第１領域管理部に記憶されている割り当てフラグは、光ディスクが対応付けられていないことを示すフラグに書き換えられる。
【００３７】
ステップＳ２０７で光ディスクが対応付けられていない記憶領域がある場合（ステップＳ２０７：ＹＥＳ）、又はステップＳ２０９が終了した場合は、ＣＰＵ７は、光ディスクドライブユニット24に装着された光ディスクを、光ディスクが対応付けられていない記憶領域のいずれかに対応付けると共にビットレートに関連づけて登録する処理を行う（ステップＳ２１０）。例えば、ＣＰＵ７は、表示装置200 にビットレートを選択させるための選択画面を表示させて、使用者にビットレートを選択させて、ビットレートに応じた記憶容量を備える記憶領域に光ディスクを対応付ける。記憶部22の第１領域がビットレートＡに対応している場合に、使用者がビットレートＡを選択したときには、光ディスク61は第１領域に対応付けられ、ＣＰＵ７は、光ディスクドライブユニット24に装着されている光ディスク61から読み出したメディアＩＤ及び選択されたビットレートＡを記憶部22の第１領域管理部に記憶させる。また第１記憶管理部に記憶されている割り当てフラグを、光ディスクが対応付けられていることを示すフラグに書き換える。ステップＳ２０１で光ディスクが登録済みであった場合（ステップＳ２０１：ＹＥＳ）、又はステップＳ２１０が終了した場合は、ＣＰＵ７は、録画又は再生等の処理を実行するために、光ディスクドライブユニット24に装着されている光ディスクへのアクセスを開始する（ステップＳ２１１）。
【００３８】
ステップＳ２０３で光ディスクが再生専用であった場合（ステップＳ２０３：ＹＥＳ）、ステップＳ２０６で光ディスクの登録指示の受付がなかった場合（ステップＳ２０６：ＮＯ）、又はステップＳ２０８で登録解消の指示の受付がなかった場合は（ステップＳ２０８：ＮＯ）、ＣＰＵ７は、光ディスクドライブユニット24に装着されている光ディスクに対して、未登録の光ディスクとしてアクセスを開始する（ステップＳ２１２）。録画装置１は、以上で、光ディスクが装着された際の処理を終了する。
【００３９】
録画装置１は、登録された光ディスクが光ディスクドライブユニット24に装着されている状態で、録画予約の処理を行う。図５は、録画装置１が行う録画予約の処理の手順を示すフローチャート、図６は光ディスクに書込まれた予約情報を示す模式図である。光ディスクのいずれかの領域、例えば図６に示すような中央部に、光ディスクを識別するための光ディスクに固有のメディアＩＤに関連付けて、チャンネル、番組の開始・終了時刻、番組名等が書込まれる。
ＣＰＵ７は、録画すべき番組の指定を受け付けるための受付画面を表示装置200 に表示させ、使用者が所定の操作を行ったリモートコントローラ100 からの信号を受信することによって、録画すべき番組の指定を受け付ける（ステップＳ３１）。例えば、表示装置200 は、電子番組表を表示し、使用者は電子番組表を確認しながらリモートコントローラ100 を操作することによって、番組が電子番組上で指定される。ＣＰＵ７は、次に、受け付けた番組の指定に従って、録画を予約した番組を指定する予約情報を生成し、光ディスクドライブユニット24に装着されている光ディスクのメディアＩＤを読出し、読出したメディアＩＤに関連付けて予約情報をＥＥＰＲＯＭ９に記憶させる（ステップＳ３２）。そしてＣＰＵ７は、ドライブ制御部26に、光ディスクドライブユニット24に装着されている光ディスクに予約情報を記録させる（ステップＳ３３）。録画装置１は、以上で録画予約の処理を終了する。
【００４０】
図７は、ＥＥＰＲＯＭ９に記憶した予約情報の内容例を示す概念図である。メディアＩＤと予約情報とが互いに関連付けられて記憶されている。予約情報は、チャンネル、番組名、及び番組の放送時刻を示す情報を含んでおり、これらの情報により番組が指定される。このようにして、ＥＥＰＲＯＭ９は、登録されている光ディスクに関連付けて予約情報を記憶する。
【００４１】
バックエンド装置２のＣＰＵ７は、コンテンツデータの記録を開始する時刻の前、例えば数分前に、光ディスクに書込まれた予約情報とＥＥＰＲＯＭ９に書込まれた予約情報とが一致するか否か判断し、一致すると判断した場合に、予約した番組の開始時刻から該予約した番組に係るコンテンツデータを光ディスクに書込む指令を光ディスクドライブユニット24に発する。図８はバックエンド装置２のＣＰＵ７によるコンテンツデータの書込み処理を示すフローチャートである。
【００４２】
バックエンド装置２のＣＰＵ７は、タイマ11から現在時刻を示す情報を受信し、現在時刻が録画開始時刻の所定時間前、例えば数分前になるまで待機する（ステップＳ１：ＮＯ）。現在時刻が録画開始時刻の所定時間前になった場合に（ステップＳ１：ＹＥＳ）、ＣＰＵ７は前記ピックアップ部24ａからの信号を取込み、光ディスクドライブユニット24内に光ディスクが装填されているか否か判定する（ステップＳ２）。光ディスクドライブユニット24内に光ディスクが装填されていない場合は（ステップＳ２：ＮＯ）、ＣＰＵ７はＥＥＰＲＯＭ９にアクセスして予約情報を取得し、取得した予約情報からメディアＩＤ及び該メディアＩＤに関連付けたビットレートを参照する（ステップＳ１１）。そしてＣＰＵ７は、参照したメディアＩＤ及びビットレートに対応する第１領域〜第ｎ領域のいずれかにコンテンツデータをファイル単位で書込む指令をドライブ制御部26を介して記憶部22へ発し、コンテンツデータを記憶領域に記憶する（ステップＳ１２）。このときＣＰＵ７は取得した予約情報からチャンネルを参照し、該チャンネルに周波数を同調させる指令を前記デジタルチューナ３へ発すると共に、入力されるコンテンツデータのビットレートを、取得した予約情報に係るビットレートに変換する指令を前記ビットレート変更部５へ発する。このため記憶部22は、前記チャンネルのコンテンツデータを、変更されたビットレートで開始時刻から終了時刻まで第１領域〜第ｎ領域のいずれかに書込むことができる。そしてＣＰＵ７は第１領域〜第ｎ領域のいずれかに書き込んだファイル（コンテンツデータ）のファイル名を示す識別子を管理領域に設定する指令をドライブ制御部26を介して記憶部22へ発し（ステップＳ１３）、後述するステップＳ８へ処理を進める。
【００４３】
光ディスクドライブユニット24内に光ディスクが装填されている場合は（ステップＳ２：ＹＥＳ）、ＣＰＵ７は光ディスクに記録された予約情報を取得し、取得した予約情報からメディアＩＤを参照する（ステップＳ３）。次にＣＰＵ７はＥＥＰＲＯＭ９に記録された予約情報を取得し、取得した予約情報からメディアＩＤを参照し（ステップＳ４）、光ディスクに記録されたメディアＩＤとＥＥＰＲＯＭ９に記録された予約情報に係るメディアＩＤとが一致するか否かを判定する（ステップＳ５）。光ディスクに記録された予約情報とＥＥＰＲＯＭ９に記録されたメディアＩＤとが一致しない場合は（ステップＳ５：ＮＯ）、ステップＳ１１へ処理を進める。
【００４４】
光ディスクに記録されたビットレートとＥＥＰＲＯＭ９に記録されたメディアＩＤとが一致する場合は（ステップＳ５：ＹＥＳ）、ＣＰＵ７は、ドライブ制御部26を介してコンテンツデータを光ディスクに記録する指令を光ディスクドライブユニット24へ発する（ステップＳ６）。このときＣＰＵ７は取得した予約情報からチャンネルを参照し、参照したチャンネルに周波数を同調させる指令を前記アナログチューナ３又はデジタルチューナ３へ発する。またＣＰＵ７は入力されるコンテンツデータのビットレートを、予約情報のメディアＩＤに関連付けてあるビットレートに変換する指令を前記ビットレート変更部５へ発する。このため光ディスクドライブユニット24は、ビットレートを変換した前記チャンネルのコンテンツデータを開始時刻から終了時刻まで光ディスクに書込むことができる。なおステップＳ６において、ＣＰＵ７は記憶部22にもコンテンツデータを記憶する構成であっても良い。そして番組の放送が終了し、コンテンツデータの記録が終了した場合、ＣＰＵ７は、光ディスクに記録したコンテンツデータが表す番組のタイトルを示すタイトル情報を光ディスクに記録させる（ステップＳ７）。ＣＰＵ７は、次に光ディスクに記録させたタイトル情報と同等のタイトル情報を、ＥＥＰＲＯＭ９に記憶する（ステップＳ８）。そしてＣＰＵ７は、光ディスクに記録したコンテンツデータ又は記憶部22に記憶したコンテンツデータの分布状態を示すマップ情報を、ステップＳ８までの処理を反映するように更新する（ステップＳ９）。次にＣＰＵ７は、録画した番組の予約情報をＥＥＰＲＯＭ９及び光ディスクから消去する指令を発する（ステップＳ１０）。
【００４５】
図９及び図１０は、コンテンツデータを記録した光ディスク又はコンテンツデータを記憶した記憶部22の状態を示す概念図である。図９（ａ）は、記憶部22の第１領域に番組１のコンテンツデータが記録された状態を示し、更に、光ディスク61の記録内容及び第１領域の記録内容の少なくとも一方に含まれるコンテンツデータを記録する仮想的なディスク（仮想ディスク）の記録イメージを示す。第１領域に番組１のコンテンツデータが記憶されており、それに伴って仮想ディスクにもコンテンツデータが記録されている。図９（ｂ）は、記憶部22の第１領域管理部に記憶されたマップ情報の内容例を示す。コンテンツデータのデータ名に関連付けて、仮想ディスク及び第１領域におけるデータの分布が、先頭アドレス及びデータのサイズによって記録されている。更に、第１領域とディスク61とでのコンテンツデータの同期状態を示す情報が記録されている。仮想ディスクと第１領域とでは、コンテンツデータの先頭アドレスが異なるものの、同サイズのコンテンツデータが記録されていることが示されている。またコンテンツデータは光ディスク61には記録されていないので、同期状態は未同期となっている。なお、本実施例では、メモリのアドレス及びデータのサイズを十進法の数字で示している。図９（ｃ）は、ＥＥＰＲＯＭ９に記憶されるタイトル情報の内容例を示す。コンテンツデータが表す番組のタイトルに関連付けて、番組が継続する時間の長さ、画質、ダビング可能回数、及び同期状態を示す情報が記録されている。なお、コンテンツデータのデータ名とタイトル名とは、図９に示したように同一でもよいが、互いに異なっていてもよい。
【００４６】
図１０は、光ディスク61に番組１のコンテンツデータが記録された状態を示す。図１０（ａ）に示すように、光ディスク61に番組１のコンテンツデータが記録され、それに伴って仮想ディスクにもコンテンツデータが記録される。図１０（ｂ）に示すように、マップ情報では、仮想ディスクにコンテンツデータが記録されている一方で、第１領域にはコンテンツデータが記憶されていないことが記録されている。また図１０（ｃ）に示すように、タイトル情報では、光ディスク61に記録されたコンテンツデータに関しては、ダビング可能回数が記録されない。
【００４７】
コンテンツデータが記憶部22に書込まれている場合であって、光ディスクドライブユニット24に光ディスクが装填されたとき、例えばユーザが映像を再生する目的又は番組の予約をする目的で光ディスクドライブユニット24に光ディスクを装填したときに、ＣＰＵ７は記憶部22に書込まれているコンテンツデータを光ディスクへ移動させる処理を行う。図１１はバックエンド装置２のＣＰＵ７によるコンテンツデータの移動処理を示すフローチャートである。
【００４８】
バックエンド装置２のＣＰＵ７は、前記ピックアップ部24ａから光ディスクの有無を示す信号を取込み、光ディスクドライブユニット24内に光ディスクが装填されるまで待機する（ステップＳ２１：ＮＯ）。光ディスクドライブユニット24内に光ディスクが装填された場合に（ステップＳ２１：ＹＥＳ）、ＣＰＵ７は記憶部22にアクセスしてタイトル情報を参照し、未同期のファイルが記憶部22に記憶してあるか否か判定する（ステップＳ２２）。記憶部22に未同期のファイルが記憶していない場合には（ステップＳ２２：ＮＯ）、ＣＰＵ７は処理を終了する。
【００４９】
記憶部22に未同期のファイルが記憶してある場合には（ステップＳ２２：ＹＥＳ）、ＣＰＵ７は、コンテンツデータが記憶してある記憶領域を管理する管理領域にアクセスして、未同期のファイル（コンテンツデータ）のメディアＩＤを参照する（ステップＳ２３）。そしてＣＰＵ７は光ディスクに設定してあるメディアＩＤを参照する（ステップＳ２４）。次にＣＰＵ７は参照した両メディアＩＤが一致するか否か判定する（ステップＳ２５）。両メディアＩＤが一致しない場合には（ステップＳ２５：ＮＯ）、ＣＰＵ７は処理を終了する。
【００５０】
両メディアＩＤが一致する場合には（ステップＳ２５：ＹＥＳ）、ＣＰＵ７は記憶部22に記憶してある未同期のファイルを光ディスクへ書込む指令をドライブ制御部26を介して光ディスクドライブユニット24へ発する（ステップＳ２６）。該指令によって光ディスクドライブユニット24は記憶部22に記憶してあるコンテンツデータを光ディスクへ書込む。次にＣＰＵ７は、ドライブ制御部26を介して記憶部22にアクセスし、未同期のファイルを同期済みのファイルに変更する（ステップＳ２７）。
【００５１】
図１２は、光ディスクの記録内容を記憶部22の記憶内容に同期させた結果を示す概念図である。図１２は、図９に示す状態で、コンテンツデータを記録していない光ディスク61が光ディスクドライブユニット24に装着された場合の同期結果を示す。図１２（ａ）に示すように、光ディスク61には、第１領域に記憶されているコンテンツデータと同一のコンテンツデータが記録される。また図１２（ｂ）に示すように、マップ情報では、番組１のコンテンツデータが仮想ディスク及び第１領域の両方に記憶され、番組１のコンテンツデータに関して光ディスク61の記録内容と第１領域の記憶内容とが同期していることが記録されている。また図１２（ｃ）に示すように、タイトル情報でも、番組１のコンテンツデータに関して光ディスク61と第１領域とで同期していることが記録されている。
【００５２】
実施の形態に係る記録装置にあっては、ユーザは所定の内容に係る番組のコンテンツデータを所定の光ディスクに記録することを望む場合があるので、一の記憶領域に関連付けて光ディスクのメディアＩＤを記憶して、光ディスクを登録し、光ディスク間の登録／未登録の識別を行うことができるようにする。また登録された光ディスクに関連付けて、入力される番組のコンテンツデータの記録をビットレートと共に予約し、記録を予約されたコンテンツデータが入力された場合に、該コンテンツデータを、登録された記録媒体に指定したビットレートで記録することができる。
【００５３】
また光ディスクドライブユニット24に光ディスクが装填されていない場合又は光ディスクドライブユニット24に装填された光ディスクに設定してあるメディアＩＤとＥＥＰＲＯＭ９に設定されたメディアＩＤとが一致しない場合に、ＥＥＰＲＯＭ９に設定してあるメディアＩＤに対応づけたビットレートでコンテンツデータを記憶部22に記憶して、蓄積することができる。このため記憶部22に蓄積されたコンテンツデータをユーザが選択した光ディスクに書込むことで、予約した番組をユーザが選択した光ディスクに所望のビットレートで確実に録画することができる。
【００５４】
また記憶領域に関連付けてあるビットレートが大きくなるに従って、記憶領域の記憶容量を大きくしているので、各記憶領域に記憶することができるコンテンツデータの記憶時間を均等にすることができる。また必要に応じて記憶容量を調整することができ、例えば使用する頻度に応じて各記憶容量を調整し、使用頻度の高いビットレートに対応する記憶領域の記憶時間を他の記憶領域よりも長くすることができる。
【００５５】
また記憶部22の第１領域〜第ｎ領域はビットレートに対応しているので、ビットレートをインデックスとして記憶部22へアクセスすることができ、記憶部22へのアクセスの高速化を図ることができる。また第１領域〜第ｎ領域の記憶容量をビットレートに応じて設定することで、記憶部22を効率的に使用することができる。
【００５６】
また記憶部22にコンテンツデータが記憶してある場合であって、光ディスクが光ディスクドライブユニット24に装填されたときに、バックエンド装置２のＣＰＵ７は、第１領域〜第ｎ領域に設定されたビットレートと光ディスクに設定してあるビットレートとが一致するか否か判定し、一致する場合に、記憶部22に記憶してあるコンテンツデータを光ディスクドライブユニット24に装填された光ディスクに書込むので、ユーザが所定の光ディスクを特定の番組及びビットレートに対応付けて使用している場合には、該所定の光ディスクに設定してあるビットレートと蓄積されたコンテンツデータのビットレートとを比較することによって、蓄積されたコンテンツデータが所定の光ディスクに録画すべき番組であるか否かをＣＰＵ７は判定することができる。このため所定の光ディスクへ特定の番組を確実に録画し、ユーザが所定の光ディスクに特定の番組を録画し損ねることを防止することができる。
【００５７】
またユーザが所望するコンテンツデータが記憶部22に記憶してあり、光ディスクに記録されていない場合に、ユーザが、所望するコンテンツデータが記録されていない光ディスクを光ディスクドライブユニット24に装填してコンテンツデータを再生するときには、記憶部22に記憶してあるコンテンツデータが再生され、コンテンツデータの再生と共に光ディスクに記憶部22に記憶してあるコンテンツデータが書込まれる。そのためユーザは所望の映像を視聴しつつ録画することができるので、ユーザに気づかれることなく、過去に光ディスクに録画し損ねた番組を光ディスクに確実に録画することができる。
【００５８】
なお記憶部22においてビットレートは管理領域に記憶してあるが、第１領域〜第ｎ領域に記憶する構成であっても良い。また記憶部22にはＮＡＮＤ型フラッシュメモリが使用されているが、ＮＡＮＤ型フラッシュメモリに代えてＥＥＰＲＯＭ、ＥＰＲＯＭ（Erasable Programmable Read Only Memory）及びＨＤ（Hard Disc）等を使用しても良い。また実施の形態に係る記録装置１は表示装置200 に接続して使用されるが、記録装置１と表示装置200 とを一体に構成しても良い。また光ディスクに代えて、メモリーカード、装填／排出可能なＨＤ等を使用しても良い。またＥＥＰＲＯＭ９に代えて他の不揮発性メモリ、例えばＥＰＲＯＭ等を使用しても良い。
【符号の説明】
【００５９】
１  記録装置
２  バックエンド装置
３  デジタルチューナ
５  ビットレート変更部
７  ＣＰＵ
９  ＥＥＰＲＯＭ
11  タイマ
20  ドライブ装置
22  記憶部
23  カウンタ回路
24  ディスクドライブユニット
24ａ  ピックアップ部
30  光ディスク（記録媒体）
【図１】
2010238324.tif 000003
【図２】
2010238324.tif 000004
【図３】
2010238324.tif 000005
【図４】
2010238324.tif 000006
【図５】
2010238324.tif 000007
【図６】
2010238324.tif 000008
【図７】
2010238324.tif 000009
【図８】
2010238324.tif 000010
【図９】
2010238324.tif 000011
【図１０】
2010238324.tif 000012
【図１１】
2010238324.tif 000013
【図１２】
2010238324.tif 000014